(57)【要約】      （修正有）【課題】優れた使用性を有する手のひら用カバーを提供する。【解決手段】使用者の親指、人差指および中指により握られる対象物から、少なくとも親指、人差指および中指を保護するための手のひら用カバー１であって、使用者の手のひらと対面する外側面２ａと、対象物と対面する内側面と、親指を配置させる親指配置部２０と、人差指を配置させる人差指配置部３０と、中指を配置させる中指等配置部４０とを備え、人差指配置部３０および中指等配置部４０は、独立して可動する。【選択図】図１
0003230383.tif 000002
【実用新案登録請求の範囲】
【請求項１】
使用者の親指、人差指および中指により握られる対象物から、少なくとも前記親指、前記人差指および前記中指を保護するための手のひら用カバーであって、
前記使用者の手のひらと対面する外側面と、
前記対象物と対面する内側面と、
前記親指を配置させる親指配置部と、
前記人差指を配置させる人差指配置部と、
前記中指を配置させる中指配置部とを備え、
前記人差指配置部および前記中指配置部は、独立して可動する、手のひら用カバー。
【請求項２】
前記中指配置部は、さらに薬指および小指を配置させる、請求項１記載の手のひら用カバー。
【請求項３】
対向する一組の辺を有し、手のひらを配置させる手のひら配置部をさらに備え、
前記親指配置部は、前記一組の辺の一方の辺から前記一方の辺に対して外側に略垂直方向に延び、
前記人差指配置部および前記中指配置部は、前記一組の辺の他方の辺から前記他方の辺に対して外側に略垂直方向に延びる、請求項１または２記載の手のひら用カバー。
【請求項４】
前記対象物を握る際に形成される折れ曲がり線に沿う山および谷を有する波形形状を有する、請求項１から３のいずれか一項記載の手のひら用カバー。
【請求項５】
前記親指配置部、前記人差指配置部および前記中指配置部は、前記外側面に、前記親指、前記人差指および前記中指を収容する凹部をそれぞれ有する、請求項１から４のいずれか一項記載の手のひら用カバー。
【考案の詳細な説明】
【技術分野】
【０００１】
本考案は、使用者により握られる対象物から、使用者の手のひらを保護する手のひらカバーに関する。
【背景技術】
【０００２】
例えば、特許文献１には、手すりやつり革などに直接手のひらが触れないようにしたハンドカバーが開示されている。
【先行技術文献】
【特許文献】
【０００３】
【特許文献１】特開２０１８−１５０６６２号公報
【考案の概要】
【考案が解決しようとする課題】
【０００４】
特許文献１のハンドカバーは、一枚のシート状の部材から形成されるため、細かな作業をすることが困難であった。例えば、ペットボトルの蓋を開ける際には、一般的には、親指、人差指および中指でつまむ動作が必要であるが、このハンドカバーでは一枚の連なったシート状の部材であるため、そのような動作が困難であった。
【０００５】
本考案はこのような事情を考慮してなされたもので、優れた使用性を有する手のひら用カバーを提供することを目的とする。
【課題を解決するための手段】
【０００６】
本考案に係る手のひら用カバーは、上述した課題を解決するために、使用者の親指、人差指および中指により握られる対象物から、少なくとも前記親指、前記人差指および前記中指を保護するための手のひら用カバーであって、前記使用者の手のひらと対面する外側面と、前記対象物と対面する内側面と、前記親指を配置させる親指配置部と、前記人差指を配置させる人差指配置部と、前記中指を配置させる中指配置部とを備え、前記人差指配置部および前記中指配置部は、独立して可動する。
【考案の効果】
【０００７】
本考案に係る手のひら用カバーにおいては、優れた使用性を有することができる。
【図面の簡単な説明】
【０００８】
【図１】本考案に係る手のひら用カバーの実施形態を主に外側面から示す斜視図。
【図２】手のひら用カバーを、主に内側面から示す斜視図。
【考案を実施するための形態】
【０００９】
本考案に係る手のひら用カバーの実施形態を添付図面に基づいて説明する。
【００１０】
図１は、本考案に係る手のひら用カバーの実施形態を主に外側面２ａから示す斜視図である。
【００１１】
図２は、手のひら用カバー１を、主に内側面２ｂから示す斜視図である。
【００１２】
手のひら用カバー１は、使用者の手のひら、または親指、人差指および中指を含む指で握られる（つままれる、つかまれる）対象物から、手のひら（以下、「手のひら」という場合には、指も含む）を保護する。対象物は、例えば、つり革、手すり、ドアノブ、ドアノブに設けられた回転施錠ツマミ、窓の取っ手、かばんや袋の持ち手、コップ、マイクなどである。また、対象物は、握る、または指でつまむことにより回転して開閉される、ペットボトルや瓶などの容器の蓋である。対象物には、手のひら全体で握られるものも、指のみで握られるものも含まれる。
【００１３】
手のひら用カバー１は、可撓性を有し、使用者の手のひらに装着して使用される。手のひら用カバー１は、使用者が握る動作を行う際には折り曲げられ、使用者が握った状態から開く動作を行う際には元の形状に復元することが可能な、１枚のシート２で形成される。手のひら用カバー１は、使用者の手の大きさに応じて寸法が設定される。すなわち、大人用、子供用、左手用、右手用などのように、使用者に応じて設定される。
【００１４】
手のひら用カバー１は、柔軟性、可撓性を有する種々の材料で形成することができるが、特にエラストマーで形成されるのが好ましい。手のひら用カバー１は、無負荷の状態において、平坦であってもよいし、図１および２に示すように、軽く握られた手のひら（および指）に沿う形状であって、円弧状に折り曲げられた形状であってもよい。すなわち、手のひら用カバー１は、シート２の外側面２ａ方向に凸となる頂点３を有するような、曲線的な形状を有する。また、シート２は、帯部４を有する。帯部４は、手のひら用カバー１が使用者により折り曲げられた際に、元の形状に戻ろうとする復元力、すなわち使用者により加えられる負荷に対する適度な抗力を、シート２に付与する。
【００１５】
シート２は、対象物を握る際に形成される折れ曲がり線（頂点３を形成する線）に沿う山および谷を有する波形形状を有する。すなわち、シート２は、折れ曲がり線に直交する方向に連続して表れる波形形状を有する。この波形形状は、手のひら用カバー１が対象物をつかむ際に滑り止めとして機能する。このため、波形形状は、内側面２ｂのみに形成されていてもよい。また、波形形状は、手のひらを閉じる際に手のひらに付加される極端な抗力を低減し、手のひらの開閉動作に対する追従性を手のひら用カバー１に付与することもできる。すなわち、軽い力で手のひらの開閉をしやすくするという利点も有する。波形形状は、強度などの観点から、親指配置部２０の先端２１、人差指配置部３０の先端３１、中指等配置部４０の先端４１には設けなくてもよい。
【００１６】
手のひら用カバー１は、手のひら配置部１０と、親指配置部２０と、人差指配置部３０と、中指等配置部４０と、を有する。
【００１７】
手のひら配置部１０は、主に使用者の手のひらの大きさに対応する大きさに形成され、手のひらを配置させる領域である。手のひら配置部１０は、対向する一組の辺１１、１２を有する。また、手のひら配置部１０は、辺１１、１２に対してそれぞれ直交する辺であり、対向する一組の辺１３、１４を有する。
【００１８】
親指配置部２０は、使用者の親指を配置させる。親指配置部２０は、シート２のうち、辺１１から辺１１に対して外側に略垂直方向に延びた部分である。親指配置部２０は、辺１１上において、辺１３の延長線に沿って延びるように形成される。親指配置部２０は、外側面２ａに、使用者の親指を収容する親指凹部２２を有する。親指凹部２２は、使用者が手のひら用カバー１を保持する際のガイドとして機能したり、使用時における指のずれ防止として機能したりする。
【００１９】
人差指配置部３０は、使用者の人差指を配置させる。人差指配置部３０は、辺１２から辺１２に対して外側に略垂直方向に延びた部分である。人差指配置部３０は、辺１２上において、辺１３の延長線に沿って延びるように形成される。すなわち、人差指配置部３０は、辺１１、１２方向において、親指配置部２０とほぼ同じ位置に形成される。人差指配置部３０は、外側面２ａに、使用者の人差指を収容する人差指凹部３２を有する。人差指凹部３２は、親指凹部２２と同様の機能を有する。
【００２０】
中指等配置部４０は、使用者の中指、薬指および小指を配置させる。中指等配置部４０は、辺１２に対して外側に略垂直方向に延びた部分である。中指等配置部４０は、辺１２上において、辺１４の延長線に沿って延びるように形成され、人差指配置部３０が形成された部分以外の部分に、人差指配置部３０と一定の隙間を持って形成される。言い換えると、人差指配置部３０と中指等配置部４０との間には、スリットが形成される。中指等配置部４０は、外側面２ａに、使用者の中指、薬指および小指を収容する中指等凹部４２を有する。中指等凹部４２は、親指凹部２２と同様の機能を有する。
【００２１】
このような手のひら用カバー１においては、独立して可動する人差指配置部３０および中指等配置部４０を有する。このため、使用者が対象物を握る動作やつまむ動作を行う際に、親指、人差し指および中指それぞれに手のひら用カバー１を追従させることができる。これにより、手のひら用カバー１は、握り動作や、つまむ動作、特に蓋などの開閉動作を行う際に、優れた使用性を有することができる。
【００２２】
本考案のいくつかの実施形態を説明したが、これらの実施形態は、例として提示したものであり、考案の範囲を限定することは意図していない。これら新規な実施形態は、その他の様々な形態で実施されることが可能であり、考案の要旨を逸脱しない範囲で、種々の省略、置き換え、変更を行うことができる。これら実施形態やその変形は、考案の範囲や要旨に含まれると共に、実用新案登録請求の範囲に記載された考案とその均等の範囲に含まれる。
【００２３】
例えば、波形形状は、シート２の全体に形成されていてもよいし、所要の範囲にのみ形成されていてもよい。また、波形形状は、手のひら配置部１０のみに設けられていてもよい。
【００２４】
手のひら配置部１０は、手のひらを開閉する際に折れ曲がり線となる部分、すなわち外側面２ａに凸となる頂点３部分を、薄肉状に形成してもよい。これにより、使用者は、手のひらを折り曲げる動作を容易にできる。また、使用者は、持ち運ぶ際や収納する際に、手のひらカバーを折畳んで収容しやすくなる。
【符号の説明】
【００２５】
１  手のひら用カバー
２  シート
２ａ  外側面
２ｂ  内側面
３  頂点
１０  配置部
１１、１２、１３、１４  辺
２０  親指配置部
２１、３１、４１  先端
２２  親指凹部
３０  人差指配置部
３２  人差指凹部
４０  中指等配置部（中指配置部）
４２  中指等凹部
【図１】
0003230383.tif 000003
【図２】
0003230383.tif 000004